(57)【要約】【課題】除湿された水分の廃棄作業を不要にして、長期にわたって除湿機能を維持することのできる排水設備を備えたキャビネットの除湿装置を提供する。【解決手段】排水管３等の排水設備を備えたキャビネット１内に設置されて、このキャビネット内の除湿を行なう除湿装置４であって、前記キャビネット内に配置され、潮解性除湿剤Ａが収納される除湿器本体５と、この除湿器本体と前記排水設備との間に設けられ、吸湿により液状化した前記潮解性除湿剤を前記除湿器本体から前記排水設備へ誘導する排液路６とを備え、前記除湿器本体に、この除湿器本体の内部空間を前記キャビネット内の空間部へ連通させる連通部Ｂが形成されていることを特徴とする。【選択図】図１
2019070226.tif 000002
【特許請求の範囲】
【請求項１】
排水管等の排水設備を備えたキャビネット内に設置されて、このキャビネット内の除湿を行なう除湿装置であって、前記キャビネット内に配置され、潮解性除湿剤が収納される除湿器本体と、この除湿器本体と前記排水設備との間に設けられ、吸湿により液状化した前記潮解性除湿剤を前記除湿器本体から前記排水設備へ誘導する排液路とを備え、前記除湿器本体に、この除湿器本体の内部空間を前記キャビネット内の空間部へ連通させる連通部が形成されていることを特徴とする排水設備を備えたキャビネットの除湿装置。
【請求項２】
前記除湿器本体が、キャップを備えたボトル状の容器によって構成され、前記キャップが前記排液路の端部に嵌合させられることにより、前記除湿器本体が前記排液路に装着されるとともに、前記キャップには、前記容器の内部空間を前記排液路へ連通させる貫通孔が形成され、かつ、前記容器には、前記除湿器本体が前記排液路へ装着された状態において鉛直方向上方に位置する部位に、前記連通部を構成する貫通孔が形成されていることを特徴とする請求項１に記載の排水設備を備えたキャビネットの除湿装置。
【請求項３】
前記除湿器本体が、上方が開口されて前記連通部となされた収納皿によって構成され、この収納皿の底部に前記排液路が接続されていることを特徴とする請求項１に記載の排水設備を備えたキャビネットの除湿装置。
【請求項４】
前記排水管の途中に前記排液路を構成する分岐管が設けられ、この分岐管に前記除湿器本体が装着されていることを特徴とする請求項１ないし請求項３の何れかに記載の排水設備を備えたキャビネットの除湿装置。
【請求項５】
前記分岐管が、前記排水管から斜め上方へ向けて設けられていることを特徴とする請求項４に記載の排水設備を備えたキャビネットの除湿装置。
【請求項６】
前記潮解性除湿剤が塩化カルシウムであることを特徴とする請求項１ないし請求項５の何れかに記載の排水設備を備えたキャビネットの除湿装置。
【請求項７】
請求項１ないし請求項６の何れかに記載の除湿装置が設置された排水設備を備えたキャビネット。
【発明の詳細な説明】
【技術分野】
【０００１】
本発明は、除湿装置に係わり、特に、排水設備を備えたキャビネット内の除湿に好適に用いられる除湿装置に関するものである。
【背景技術】
【０００２】
一般に、流し台や洗面台等に設けられているキャビネット内には、前記流し台や洗面台において使用した水を排水するための排水設備が設けられている。
【０００３】
ところで、前述したキャビネットは主に用具や洗剤等の収納に用いられて、その開け閉めの頻度はさほど多くなく、閉じたままの期間が比較的長い。
【０００４】
そして、このように閉じられた状態の空間部では、内部温度が高い場合には湿気が溜まりやすく、カビやダニが発生しやすい環境となりやすい。
【０００５】
このような不具合を解消するために、従来では、たとえば、特許文献１に示されるような除湿器を前記キャビネット内に設置して、このキャビネット内の湿気を除去することが行なわれている。
【先行技術文献】
【特許文献】
【０００６】
【特許文献１】特開平８−５７２４４号公報
【発明の概要】
【発明が解決しようとする課題】
【０００７】
前述した従来用いられている除湿器は、上部が開口された箱形の容器本体内部を、通液孔を備えた中底によって上下２室に区画し、上部の室内に、塩化カルシウム等の潮解性除湿剤を充填するとともに、前記容器本体の上部開口を通気性シートによって塞いだ構成となっている。
【０００８】
この除湿器は、前記キャビネット内に設置された状態において、前記キャビネット内の水分を含んだ空気が前記通気性シートを介して前記容器本体の上部の室内に侵入し、この空気中の水分が前記室内に充填されている前記潮解性除湿剤に取り込まれることによって除湿を行なうようになっている。
【０００９】
そして、水分を取り込んだ前記潮解性除湿剤は液化して、前記中底の通液孔から前記容器本体の下方の室内へ落下し貯留される。
【００１０】
このような除湿器により、前記キャビネット内の除湿を行なうことができるようになったが、なお、つぎのような改善すべき問題点が残されている。
【００１１】
すなわち、前述した除湿器にあっては、その容器本体の大きさが制限されていることに伴い、除湿によって生成される液化した除湿剤の貯留可能な量が制限されている。
【００１２】
したがって、貯留可能な量を超えて除湿を行なうためには、前記除湿器自体を交換して除湿された水分を廃棄する必要が生じる。
【００１３】
本発明は、前述した従来の除湿器において残されている問題点に鑑みてなされたもので、除湿された水分の廃棄作業を不要にして、長期にわたって除湿機能を維持することのできる排水設備を備えたキャビネットの除湿装置を提供することを解決すべき課題とする。
【課題を解決するための手段】
【００１４】
本発明の排水設備を備えたキャビネットの除湿装置は、前述した課題を解決するために、排水管等の排水設備を備えたキャビネット内に設置されて、このキャビネット内の除湿を行なう除湿装置であって、前記キャビネット内に配置され、潮解性除湿剤が収納される除湿器本体と、この除湿器本体と前記排水設備との間に設けられ、吸湿により液状化した前記潮解性除湿剤を前記除湿器本体から前記排水設備へ誘導する排液路とを備え、前記除湿器本体に、この除湿器本体の内部空間を前記キャビネット内の空間部へ連通させる連通部が形成されていることを特徴とする。
【００１５】
本発明の除湿装置にあっては、前記キャビネットの閉塞空間内の水分を含んだ空気が、前記除湿器本体に前記連通部を介して入り込むとともに、この除湿器本体内に収納されている潮解性除湿剤と接触する。
【００１６】
ここで、前記潮解性除湿剤は、接触させられる空気からその水分を取り込んで潮解性除湿剤溶液に変化する。
【００１７】
そして、前記潮解性除湿溶液は、前記除湿器本体から前記排液路を通って前記排水設備へ導かれて前記キャビネット外へ排出される。
このような作用が連続的に行なわれて、前記キャビネット内の除湿が行なわれる。
【００１８】
したがって、除湿によって生成される潮解性除湿剤溶液は、前記排水設備から連続して前記キャビネット外へ排出されるから、生成される前記潮解性除湿剤溶液の量に関係なくその廃棄作業を不要にして、連続した除湿機能を確保することができる。
【００１９】
これにより、前記除湿器本体に収納する前記潮解性除湿剤の量に基づき前記除湿機能の継続期間を設定することができるので、この潮解性除湿剤の量を適宜設定することにより、長期にわたって除湿機能を維持することができる。
【００２０】
前記除湿器本体は、キャップを備えたボトル状の容器を用い、前記キャップを前記排液路の端部に嵌合させて、前記除湿器本体を前記排液路に装着するとともに、前記キャップに、前記容器の内部空間を前記排液路へ連通させる貫通孔を形成し、かつ、前記容器に、前記除湿器本体が前記排液路へ装着された状態において鉛直方向上方に位置する部位に、前記連通部を構成する貫通孔を形成した構成することができる。
【００２１】
このような構成とすることにより、前記除湿器本体を装着するに際して、容器本体内に潮解性除湿剤を収納して前記キャップを閉め、この状態で、前記キャップを前記排液路に嵌め込み固定することができる。
【００２２】
したがって、前記除湿器本体への前記潮解性除湿剤の収納や補充を、前記排液路、すなわち、排水設備から取り外した状態で行なうことができる。
これにより、前記除湿器本体の設置作業や前記潮解性除湿剤の補充作業を簡便なものとすることができる。
【００２３】
また、前記除湿器本体は、上方が開口されて前記連通部となされた収納皿によって構成し、この収納皿の底部に前記排液路を接続した構成とすることも可能である。
【００２４】
前記排水管の途中に分岐管が設けることによって前記排液路を構成し、この分岐管に前記除湿器本体を装着した構成とすることができる。
【００２５】
このような構成とすることにより、既存の配管部材を用いて前記排水路を容易に構成することができる。
【００２６】
前記分岐管は、前記排水管から斜め上方へ向けて設けることが好ましい。
このような構成とすることにより、前記除湿器本体において生成された潮解性除湿剤の溶液を円滑に前記排水管へ導き廃棄することができる。
【００２７】
前記潮解性除湿剤として塩化カルシウムを用いることが好ましい。
【００２８】
そして、前述した除湿装置が設置された排水設備を用いてキャビネットを構成することにより、湿度が適切に調整されて、カビやダニの発生が抑制された流し台や洗面台を実現することができる。
【発明の効果】
【００２９】
本発明の排水設備を備えたキャビネットの除湿装置によれば、除湿によって生成される潮解性除湿剤溶液を連続排出することにより、潮解性除湿剤溶液の廃棄作業を不要にして、除湿機能を長期にわたって継続して確保することができる。
【図面の簡単な説明】
【００３０】
【図１】本発明の一実施形態にかかる除湿装置が装着された排水設備を備えたキャビネットの正面図である。
【図２】本発明の一実施形態にかかる除湿装置が装着された排水設備の要部の拡大正面図である。
【図３】本発明の一実施形態にかかる除湿器本体の分解斜視図である。
【図４】本発明の一実施形態にかかる除湿器本体を分解した正面図である。
【図５】本発明の一実施形態にかかる除湿器本体の正面図である。
【図６】本発明の他の実施形態にかかる除湿装置が装着された排水設備の要部を分解した正面図である。
【図７】本発明のさらに他の実施形態を示すもので、一部を断面した要部の拡大図である。
【図８】本発明の除湿作用を説明するためのグラフである。
【発明を実施するための形態】
【００３１】
以下、本発明の一実施形態について、図１ないし図５を参照して説明する。
これらの図において、符号１は、本実施形態が適用された排水設備を備えたキャビネットを示す。
【００３２】
このキャビネット１は流し台を構成するもので、上部に水処理を行なうシンク２が設けられており、その下部中央には、排水設備を構成し、前記シンク２内において使用された水を下水管等へ排出する排水管３が連設されている。
【００３３】
前記キャビネット１内に配置される本実施形態の除湿装置４は、潮解性除湿剤Ａが収納される除湿器本体５と、この除湿器本体５と前記排水設備との間に設けられ、吸湿により液状化した前記潮解性除湿剤（潮解性除湿剤溶液Ｌ）を前記除湿器本体５から前記排水設備へ誘導する排液路６とを備え、前記除湿器本体５に、この除湿器本体５の内部空間を前記キャビネット１内の空間部へ連通させる連通部Ｂが形成された構成となっている。
【００３４】
さらに詳述すれば、前記除湿器本体５は、図２ないし図５に示すように、キャップ７を備えたボトル状の容器８によって構成され、前記キャップ７が前記排液路６の端部に嵌合させられることにより、前記除湿器本体５が前記排液路６に装着されるとともに、前記キャップ７の天板部には、図３に示すように、前記容器８の内部空間を前記排液路６へ連通させる貫通孔７ａが形成され、かつ、前記容器８には、前記除湿器本体５が前記排液路６へ装着された状態において鉛直方向上方に位置する部位に、前記連通部Ｂを構成する貫通孔８ａが形成されている
【００３５】
そして、本実施形態に示す前記除湿器本体５は、たとえば、飲料用として用いられているペットボトルを加工することによって形成することができる。
【００３６】
前記排液路６は、前記排水管３の、前記シンク２の底部から垂設された鉛直部に、斜め上方へ向かう分岐管を連設することによって構成されている。
【００３７】
前記排液路６の突出端には拡径部６ａが形成されて前記除湿器本体５を構成する前記キャップ７が嵌合させられるようになっている。
【００３８】
また、前記前記拡径部７ａの内部には、筒状のパッキン９が固定されており、このパッキン９の内側に前記キャップ７が弾性的に嵌合させられることにより、前記除湿器本体５が、前記排液路６の突出端に気密状態で保持されるようになっている。
【００３９】
そして、前記容器８内に収納される前記潮解性除湿剤Ａは、主に塩化カルシウムが用いられるが、そのほかに、塩化マグネシウム、塩化リチウム、臭化リチウム、酢酸カリウム、リン酸ナトリウム、ウルトラリン酸ナトリウム等が用いられる。
【００４０】
このように構成された本実施形態の除湿装置４を前記キャビネット１内に設置するには、まず、図３および図４に示すように、前記除湿器本体５の前記キャップ７を前記容器８から取り外して、この容器８内に潮解性除湿剤Ａを充填した後に、前記キャップ７によって前記容器８を閉じて前記除湿器本体５を組み上げる。
【００４１】
ついで、前記除湿器本体５を、その容器８に形成されている前記貫通孔８ａを上方に位置させた状態で、前記キャップ７を前記排液路６の拡径部６ａ内へ、この拡径部６ａ内に装着されている前記パッキン９を弾性変形させつつ差し込む。
【００４２】
これによって、前記除湿器本体５が、前記パッキン９によって、前記排液路６の端部に弾性的に保持されて、本実施形態の除湿装置４が前記キャビネット１内に設置される。
【００４３】
このように前記除湿器本体５が前記排液路６に保持された状態において、前記キャップ７の天板部に形成されている前記貫通孔７ａを介して、前記容器８の内部が、前記排液路６、および、前記排水管３へ連通させられるとともに、前記容器８の上部において、その貫通孔８ａを介して前記キャビネット１の内部空間に連通させられている。
【００４４】
このように、本実施形態の除湿装置４の設置に際し、前記除湿器本体５を前記キャビネット１の外部において準備し、この除湿器本体５を、そのキャップ７を前記排液路６の突出端に嵌め込むことによって容易に設置することができる。
【００４５】
そして、前記除湿装置４が設置された前記キャビネット１を閉じることにより、その内部空間の除湿が開始される。
【００４６】
この除湿作用は、閉じられた前記キャビネット１内に形成される空間の空気が、前記除湿器本体５の前記容器８内に、この容器８に形成されている前記貫通孔８ａを介して流入し、前記容器８内の前記潮解性除湿剤Ａへ接触させられることによって開始される。
【００４７】
このように、前記キャビネット１内の空気が前記潮解性除湿剤Ａに接触させられると、この空気に含まれる水分が前記潮解性除湿剤Ａに取り込まれ、この潮解性除湿剤Ａが液状化し潮解性除湿剤溶液Ｌが生成される。
【００４８】
そして、この潮解性除湿剤溶液Ｌは、図２に示すように、前記キャップ７に形成されている貫通孔７ａから前記排液路６および前記排水管３を経て下水管等へ排出される。
【００４９】
このような作用が連続して行なわれることにより、前記キャビネット１内の空気に含まれている水分が継続して吸収排出されて、前記キャビネット１内の除湿が行なわれる。
【００５０】
したがって、除湿によって除去された水分は、潮解性除湿剤溶液Ｌとして連続排出されるので、前記除去された水分を廃棄する作業が不要となり、連続した除湿機能を確保することができる。
【００５１】
そして、前記潮解性除湿剤Ａの量を調整しておくことにより、その除湿機能の継続期間を長期にわたって保持することができる。
【００５２】
また、前記容器８に形成されて、この容器８の内部空間と前記キャビネット１の内部空間とを連通させる前記貫通孔８ａの数や開口面積を調整することにより、前記キャビネット１の内部空間から前記容器８内に流入する空気量を調整することができる。
【００５３】
これによって、前記潮解性除湿剤Ａに接触する空気量を調整して、前記キャビネット１内の除湿速度を調整することができる。
【００５４】
ここで、本実施形態の除湿装置４の除湿効果を確認するために、以下の条件の下で前記キャビネット１内の湿度変化を測定したところ、図８に示す結果が得られた。
【００５５】
測定条件
使用潮解性除湿剤：塩化カルシウム
キャビネット内容積：３５００００立法センチメートル
キャビネット内温度（測定開始温度）  ：３５℃
【００５６】
この結果から、本実施形態の除湿装置４によれば、測定開始時に８５％の湿度であった前記キャビネット１内の湿度を、約２週間後に約６２％まで除湿し、それ以降、前記湿度を維持できることが確認された。
【００５７】
この６２％の湿度は、カビやダニの発生が高まるとされる湿度７０％を大きく下回るものであり、カビやダニの発生を効果的に防止することが期待できる。
【００５８】
なお、前記実施形態において示した各構成部材の諸形状や寸法等は一例であって、設計要求等に基づき種々変更可能である。
【００５９】
たとえば、前記実施形態においては、前記除湿器本体５を前記排液路６の拡径部６ａの内部に装着した筒状のパッキン９によって保持するようにした例について示したが、これに代えて、図６に示すように、筒状の前記パッキン９に代えて環状のパッキン１０とし、この環状のパッキン１０を、前記拡径部６ａ内に固着される筒状のリテーナー１１の内周に装着した構成とすることもできる。
【００６０】
また、前記実施形態においては、前記除湿器本体５をボトル状の容器として示したが、これに代えて、図７に示すように、上方が開口されて前記連通部Ｂとなされた収納皿１２によって構成し、この収納皿１２の底部に前記排液路６を接続した構成とすることもできる。
【００６１】
この場合、前記収納皿１２の底部で、前記排液路６の接続部を覆うように、メッシュプレート１３を設けておき、収納される前記潮解性除湿剤Ａの不用意な脱落を防止することが望ましい。
【００６２】
また、前記何れの実施形態においても、前記廃液路６を管状部材によって構成し、前記除湿器本体５や収納皿１２と前記排水管３とを接続するようにした例について示したが、これに代えて、前記除湿器本体５や収納皿１２の廃水部を直接前記排水管３に接続して、前記廃水部を廃液路６とすることも可能である。
【符号の説明】
【００６３】
１  キャビネット
２  シンク
３  排水管
４  除湿装置
５  除湿器本体
６  排液路
６ａ  拡径部
７  キャップ
７ａ  貫通孔
８  容器
８ａ  貫通孔
９  パッキン
１０  パッキン
１１  リテーナー
１２  収納皿
１３  メッシュプレート
Ａ  潮解性除湿剤（塩化カルシウム）
Ｂ  連通部
Ｌ  潮解性除湿剤溶液
【図１】
2019070226.tif 000003
【図２】
2019070226.tif 000004
【図３】
2019070226.tif 000005
【図４】
2019070226.tif 000006
【図５】
2019070226.tif 000007
【図６】
2019070226.tif 000008
【図７】
2019070226.tif 000009
【図８】
2019070226.tif 000010